(57)【要約】【課題】刺激感を勝って心地よさが伴う、角栓の除去手段を提供する。【解決手段】弾性支持体部と該弾性支持体部を被覆する、極細繊維製の被覆部とを有することを特徴とする、洗顔用具を提供する。該弾性支持体部が、剛体に動物毛及び／又は合成繊維を植毛したものであることが好ましく、前記弾性支持体部は、木製、プラスチック製或いは金属製の固定部に、植毛固定されていることが好ましい。この時、弾性支持体の全てを束ねて被覆しても良いし、幾つかの束に分け、束毎に被覆しても良い。【選択図】図１
2004329628.tif 000002
【特許請求の範囲】
【請求項１】
洗顔用具であって、弾性支持体部と該弾性支持体部を被覆する、極細繊維製の被覆部とを有することを特徴とする、洗顔用具。
【請求項２】
弾性支持体部が、剛体に動物毛及び／又は合成繊維を植毛したもの或いはスポンジであることを特徴とする、請求項１に記載の洗顔用具。
【請求項３】
植毛された動物毛及び合成繊維を一つにまとめて若しくは複数個にまとめて極細繊維製の被腹部で被覆した形態を取ることを特徴とする、請求項２に記載の洗顔用具。
【請求項４】
更に、保持部を備えることを特徴とする、請求項１〜３何れか１項に記載の洗顔用具。
【請求項５】
上面に丸みを持たせたスポンジを極細繊維製の被覆部で被覆した形態を取ることを特徴とする、請求項２に記載の洗顔用具。
【請求項６】
エステティックの洗顔用であることを特徴とする、請求項１〜５何れか１項に記載の洗顔用具。
【発明の詳細な説明】
【０００１】
【発明の属する技術分野】
本発明は、洗顔用具に関し、更に詳細には、エステティックの洗顔時に好適な洗顔用具に関する。
【０００２】
【従来技術】
洗顔に於いて、毛穴に溜まった老廃物を取り除くことは、面皰や吹き出物を防ぐ意味で重要なことである。しかしながら、皮脂などとともに一種のマトリックスを形成して毛穴の奥深くまで詰まっている老廃物、所謂角栓を取り除くのは決して容易なことではなく、油性クレンジングと水性洗顔の併用によってもなかなか取りきれない。この為、水性粘着剤を塗工したシートで粘着させて取り除いたり、スチーム処理をした後に、吸引処置により取り除く方法が考案されている。（例えば、特許文献１、特許文献２、特許文献３、特許文献４を参照）しかしながら、この様な物理的な処置のみでは自ずとその限度が存する。この様なことを背景に、エステティックの分野では、洗浄剤と物理的処置とを組み合わせて、ブラシを用いた洗顔が広く行われている。ブラシを用いた、洗浄剤での洗顔は、力加減が難しいために、エステティックのような、技能者の存在無くしては実施できない欠点がある。それでも、心地よさよりも刺激感の方が先立ちやすい状況であった。即ち、刺激感を勝って心地よさが伴う、角栓の除去手段の開発が望まれていた。この傾向は、エステティックの分野では特に顕著であった。これは、エステティックそのものが心地よさを指向していることにもよる。
【０００３】
一方、化粧用具について、その用具の一部に極細繊維を含む不織布を用いることは既に行われていることであり、例えば、極細繊維のクレンジング作用を利用し、極細繊維に保湿化粧料を含浸させて、保湿料を補いながら、汚れを除去する技術（例えば、特許文献５を参照）、極細繊維を含む不織布からなるワイピング・クロスをパフに装着して、余分な化粧料や皮脂を拭い取りながら化粧料を延展させる技術（例えば、特許文献６を参照）などが存する。又、極細繊維を含む不織布は既に多くの種類のものが市販されており、例えば、クラレ株式会社から販売されている「エルモザ」、トーレ株式会社から販売されている「トレシー」、旭化成株式会社から販売されている「洗剤イヤ子さん」、カネボウ株式会社から販売されている「ベルセイム２１」等のようにその入手は極めて容易である。
【０００４】
他方、洗顔用具であって、弾性支持体部と該弾性支持体部を被覆する、極細繊維製の被覆部とを有するものは、全く知られていない。
【０００５】
【特許文献１】
特開２００３−７３２３２号公報
【特許文献２】
特開２００２−２４１２６０号公報
【特許文献３】
特開２００１−１３９４２６号公報
【特許文献４】
特開平０７−３３０５７５号公報
【特許文献５】
特開平０７−２５０７７９号公報
【特許文献６】
特開２０００−２７０９２３号公報
【０００６】
【発明が解決しようとする課題】
本発明は、この様な状況下為されたものであり、刺激感を勝って心地よさが伴う、角栓の除去手段を提供することを課題とする。
【０００７】
【課題の解決手段】
本発明者らは、この様な状況に鑑みて、刺激感を勝って心地よさが伴う、角栓の除去手段を求めて、鋭意研究努力を重ねた結果、洗顔用具であって、弾性支持体部と該弾性支持体部を被覆する、極細繊維製の被覆部とするような用具を用いて洗顔することにより、この様な角栓の除去が可能であることを見出し、発明を完成させるに至った。即ち、本発明は、以下に示す技術に関するものである。
（１）洗顔用具であって、弾性支持体部と該弾性支持体部を被覆する、極細繊維製の被覆部とを有することを特徴とする、洗顔用具。
（２）弾性支持体部が、剛体に動物毛及び／又は合成繊維を植毛したもの或いはスポンジであることを特徴とする、（１）に記載の洗顔用具。
（３）植毛された動物毛及び合成繊維を一つにまとめて若しくは複数個にまとめて極細繊維製の被腹部で被覆した形態を取ることを特徴とする、（２）に記載の洗顔用具。
（４）更に、保持部を備えることを特徴とする、請求項１〜３何れか１項に記載の洗顔用具。
（５）上面に丸みを持たせたスポンジを極細繊維製の被覆部で被覆した形態を取ることを特徴とする、（２）に記載の洗顔用具。
（６）エステティックの洗顔用であることを特徴とする、（１）〜（５）何れか１項に記載の洗顔用具。
【０００８】
【発明の実施の形態】
本発明の洗顔用具は、洗顔用具であって、弾性支持体部と該弾性支持体部を被覆する、極細繊維製の平面加工体からなる被覆部とを有することを特徴とする。弾性支持体部としては、馬毛、豚毛、穴熊毛、狐毛等の獣毛或いはアクリル樹脂、ナイロン樹脂などの合成繊維の毛束が好ましく例示できる。毛束を構成する毛の形状としては、０．１〜２ｍｍの太さで、長さが１〜１０ｃｍのものが好適に例示できる。かかる毛束は、木製、樹脂製、金属製或いはこれらの複合材料からなる部材に植毛されて固定されていることが好ましい。この様な弾性支持体部とその固定部材の組合せは、例えば、洗顔用のブラシ等を想起することが出来る。又、かかる弾性支持体はスポンジのようなものでも良い。この様なスポンジとしてはファンデーションを塗布する為のパフなどの形状を想起することが出来る。これに擦過の時の支持体としての柄などを取り付ける形態が好ましい。本発明の洗顔用具は、洗顔用のブラシやファンデーション用のパフに、極細繊維製の平面加工体からなる被覆部を被覆させた形態に近似することが出来る。ここで、平面加工体としては、極細繊維を織って加工した布や織らずに加工した不織布などが好適に例示でき、特に好ましいものは、製造が容易である不織布である。又、前記極細繊維としては、１ｄｔｅｘ以下の細さのものであれば、特段の限定無く使用することが出来、その材質は、通常繊維で使用されているものであれば特段の限定をされずに適用でき、例えば、アクリル系繊維、ポリエステル系繊維、ナイロン系繊維などが好適に例示でき、中でもアクリル系繊維とポリエステル系繊維が特に好適に例示できる。かかる極細繊維の平面加工体としては、既に市販されているものも存し、かかる市販品を購入し、縫製など加工して使用することも出来る。本発明で使用する好ましい極細繊維の平面加工体としては、例えば、クラレ株式会社から販売されている「エルモザ」、トーレ株式会社から販売されている「トレシー」、旭化成株式会社から販売されている「洗剤イヤ子さん」、カネボウ株式会社から販売されている「ベルセイム２１」等が好ましく例示できる。これらは何れも、極細繊維の不織布である。本発明の洗顔用具において、弾性支持体を被覆する為の前記極細繊維の平面加工体の形状としては、該平面加工体を片方に底面の存する円筒状に縫製又は接着加工して、非底面側から弾性支持体に被覆し、底面と弾性支持体とが接触するように被覆することが好ましい。この時、弾性支持体の全てを束ねて被覆しても良いし、幾つかの束に分け、束毎に被覆しても良い。この様な円筒形等に加工した極細繊維の平面加工体の好ましい形状は、底面積が０．５〜３０ｃｍ２であり、高さが１〜１０ｃｍのものである。本発明の洗顔用具は、前記弾性支持体に前記極細繊維の平面加工体を円筒状などに加工した、立体加工体をかぶせることにより、製造できる。かくして得られた、本発明の洗顔用具は、洗顔時に極めて細かい泡を生じ、毛穴の中に入り込み、毛穴に存する汚れを落とすと同時に、その極めて大きな表面積故に、表面に存する汚れを、すすぎにより速やかに流し去ることが出来る為、洗浄効果に優れながら、一次刺激の発現が極めて少ない特質を有する。又、その肌に接触するときの滑らかさから、洗顔時に大いなる心地よさを提供することが出来る。この為、エステティック施術に於ける、洗顔時に使用することが好ましい。これは、本発明の洗顔用具での洗浄により、皮膚上の汚れや老廃物を除去するばかりではなく、心地よさを被施術者に与えて、リラックスさせ、続くマッサージなどの施術効果を高めることが出来る為である。又、本発明の洗顔用具に適用できる洗顔用の化粧料としては、脂肪酸ナトリウム石鹸を主成分とする固形石鹸、脂肪酸カリウム石鹸を主成分とするクリーム状洗浄料、脂肪酸トリエタノールアミン石鹸やアルキルベタイン等の両性界面活性剤を主成分とする液状洗浄料など、通常化粧料で洗顔用に使用されているものであれば特段の限定無く適用することが出来る。特に好ましいものは、脂肪酸カリウム石鹸を主成分とする、クリーム状の洗顔料である。これは、かかる洗浄料が、本発明の洗顔用具により、極めて微細な泡を生ずる為である。
【０００９】
【実施例】
以下に、実施例を挙げて、本発明について更に詳細に説明を加えるが、本発明がかかる実施例にのみ限定されないことは言うまでもない。
【００１０】
＜実施例１＞
豚毛を木製の円盤上に植え込み、弾性支持体を作成し、これに極細繊維を含有する不織布（トーレ株式会社製「トレシー」を使用）を縫製して作成した図１に示す円筒状の被覆体を作成した。これを弾性支持体（豚毛）２０本毎にかぶせて、接着剤で固定して本発明の洗顔用具１を得た。
【００１１】
＜実施例２＞
豚毛を木製の円盤上に植え込み、弾性支持体を作成し、これに極細繊維を含有する不織布（トーレ株式会社製「トレシー」を使用）を縫製して作成した図２に示す円筒状の被覆体を作成した。これを弾性支持体全部を覆うようにかぶせて、本発明の洗顔用具２を得た。
【００１２】
＜試験例１＞
下記に示す、洗浄組成物を用いて、パネラー１群１０名を対象に、実施例１、２の洗顔用具、実施例１の洗顔用具の被覆体を除いた対照例１、実施例１の被覆体の材質を通常の、極細繊維を用いない不織布に変えた比較例１を用いて、洗顔試験を行った。洗顔は、エスティシャンにより、洗浄組成物１ｇをそれぞれの洗顔用具に塗布し、パネラーの顔上で５回の擦過を行い、ぬるま湯の流水下で３分間濯いで行った。洗顔後、市販の角栓取りシートを、湿らせて、頬部に貼付し、角栓を採取し、採取した角栓の２ｍｍ×２ｍｍあたりの個数を計数した。又、洗顔の前後に唾液を採取し、唾液中のプラステロン硫酸の濃度を測定し、洗顔によるプラステロン硫酸の濃度の上昇率を求めた。（（洗顔後の濃度−洗顔前の濃度）／洗顔前の濃度＊１００）プラステロン硫酸は心地よくなるとその分泌濃度が高まることが知られている。結果を表１に示す。これより、本発明の洗顔用具を用いた洗顔により、角栓がより多く除去され、且つ、洗顔による心地よさも上昇することが明白である。又、１括して被覆するよりも、支持体数十本ずつを被覆する実施例１の様な形態の方が好ましいこともわかる。
【００１３】
（洗浄組成物）
イ
ステアリン酸                                  １５    重量部
ミリスチン酸                                  １２    重量部
ラウリン酸                                      ５    重量部
セチルアルコール                                ０．３重量部
ベヘニルアルコール                              ０．２重量部
ダイズレシチン                                  ０．１重量部
ホホバアルコール                                ０．１重量部
デカグリセリンモノラウレート                    １    重量部
ロ
水                                            ３７    重量部
水酸化カリウム                                  ７    重量部
グリセリン                                    １２    重量部
ジグリセリン                                    ５    重量部
カルボキシメチルセルロースナトリウム            ０．３重量部
ソルビトール                                  １０    重量部
（製法）  イ、ロの成分を８０℃に加熱し、減圧攪拌下イにロを加え、減圧のまま攪拌冷却し、本発明の洗浄組成物を作成した。
【００１４】
【表１】
2004329628.tif 000003
【００１５】
＜実施例３＞
弾性支持体として、スポンジを用いて、図３に示すような洗顔用具を作成した。これを試験例１に準じて、パネラー１０名を用いた洗顔テストにて評価を行った。結果を表２に示す。これより、スポンジを支持体にすることにより、プラステロン硫酸上昇率が高く、心地よさに優れることがわかる。但し、角栓除去については、獣毛を弾性支持体にした方が好ましいこともわかる。
【００１６】
【表２】
2004329628.tif 000004
【００１７】
＜実施例４＞
図４に示す如く、スポンジを弾性支持体とした、部分洗顔用の洗顔用具を作成した。このものも洗顔時に心地よさを提供し、角栓除去に優れるものであった。
【００１８】
【発明の効果】
本発明によれば、刺激感を勝って心地よさが伴う、角栓の除去手段を提供することができる。
【図面の簡単な説明】
【図１】実施例１の洗顔用具を示す図である。
【図２】実施例２の洗顔用具を示す図である。
【図３】実施例３の洗顔用具を示す図である。
【図４】実施例４の洗顔用具を示す図である。
【図１】
2004329628.tif 000005
【図２】
2004329628.tif 000006
【図３】
2004329628.tif 000007
【図４】
2004329628.tif 000008